(57)【要約】【課題】設定データの記憶を指示する際の操作性を改善する。【解決手段】音響信号に対して信号処理を施して出力する音響信号処理装置において、装置の現在の状態を示す設定データであるカレントデータを記憶する手段と、上記カレントデータに基づいて装置の制御を行う制御手段と、設定データを主設定データとその主設定データからリンクされた副設定データとして記憶する手段とを設け、設定データを記憶させる場合に、主設定データからリンクされた副設定データについて自動的に記憶先を設定して記憶させる自動保存を行うことができるようにし、自動保存の実行を指示するためのオートストアキー１１７と、自動保存を指示した場合の上記副設定データの記憶先（表示欄１１１〜１１３）とを、表示手段に表示させるようにした。また、副設定データの記憶先の設定を受け付け、副設定データをその受け付けた記憶先に記憶させる手動保存も行うことができるようにするとよい。【選択図】　　　　図５
2004048272.tif 000002
【特許請求の範囲】
【請求項１】
音響信号に対して信号処理を施して出力する音響信号処理装置であって、
当該装置の現在の状態を示す設定データであるカレントデータを記憶する第１の記憶手段と、
前記カレントデータに基づいて当該装置の制御を行う制御手段と、
前記設定データを、主設定データと該主設定データからリンクされた副設定データとして記憶する第２の記憶手段と、
前記設定データを前記第２の記憶手段に記憶させる場合に、前記主設定データを前記第２の記憶手段の指示された記憶先に記憶させると共に、該主設定データからリンクされた副設定データのうち新たに記憶すべきものについて自動的に記憶先を設定して前記第２の記憶手段に記憶させる自動保存を行う自動保存手段と、
前記設定データを前記第２の記憶手段に記憶させる場合に、前記主設定データを前記第２の記憶手段の指示された記憶先に記憶させると共に、該主設定データからリンクされた副設定データのうち新たに記憶すべきものについて、記憶先の設定を受け付け、前記第２の記憶手段の該受け付けた記憶先に記憶させる手動保存を行う手動保存手段と、
前記自動保存の実行を指示するための自動保存スイッチと、
前記手動保存の実行を指示するための手動保存スイッチとを設けたことを特徴とする音響信号処理装置。
【請求項２】
請求項１記載の音響信号処理装置であって、
表示手段と、
前記自動保存スイッチと、前記自動保存を指示した場合の前記副設定データの記憶先とを、前記表示手段の同一の表示画面に表示させる手段とを設けたことを特徴とする音響信号処理装置。
【請求項３】
音響信号に対して信号処理を施して出力する音響信号処理装置であって、
表示手段と、
当該装置の現在の状態を示す設定データであるカレントデータを記憶する第１の記憶手段と、
前記カレントデータに基づいて当該装置の制御を行う制御手段と、
前記設定データを、主設定データと該主設定データからリンクされた副設定データとして記憶する第２の記憶手段と、
前記設定データを前記第２の記憶手段に記憶させる場合に、前記主設定データを前記第２の記憶手段の指示された記憶先に記憶させると共に、該主設定データからリンクされた副設定データのうち新たに記憶すべきものについて自動的に記憶先を設定して前記第２の記憶手段に記憶させる自動保存を行う自動保存手段と、
前記自動保存の実行を指示するための自動保存スイッチと、該自動保存を指示した場合の前記副設定データの記憶先とを、前記表示手段に表示させる手段とを設けたことを特徴とする音響信号処理装置。
【請求項４】
請求項３記載の音響信号処理装置であって、
前記主設定データの名称の指定を受け付ける手段と、
前記主設定データの名称が指定され、かつ前記自動保存の実行が指示された場合に、記憶すべき副設定データの名称を該自動保存の対象となっている主設定データの名称と同一の名称に設定する手段とを設けたことを特徴とする音響信号処理装置。
【発明の詳細な説明】
【０００１】
【発明の属する技術分野】
この発明は、ミキサ・エフェクタ・レコーダ・シンセサイザ及びこれらの組み合わせ等からなる、入力される音響信号に対して任意の処理を行って出力する音響信号処理装置に関する。
【０００２】
【従来の技術】
入力される音響信号に対して任意の処理を行って出力する音響信号処理装置として、従来から、例えばコンサートや演劇などの会場において音響設備を制御するためのデジタルミキサが知られている。このような会場では、多数のマイクロフォン及び多数のスピーカが使用され、効果音等も多種多様に使用されるが、デジタルミキサは、多数の入力をどのようにミキシングし、どのように効果を付与し、どの出力系統に出力するか、等を集中的に制御する。すなわちデジタルミキサは、マイクロフォンから入力される音声の音響信号に対して設定に従ってミキシングやイコライズ等の処理を行い、スピーカに対して出力する。
しかし、この設定はミキシング状態や結線状態、スイッチの名称や入出力に用いるボードの種類等、多岐に渡り、必要な時にその場で設定操作を行うのは困難である。そこで、あらかじめ必要な設定をシーン（ＳＣＥＮＥ）としていくつか記憶しておき、記憶されたシーンから必要なものを選択して呼び出すことにより、必要な場面で必要な設定状態を再現することが行われている。
【０００３】
本件出願人は、このようなデジタルミキサについて、以前に特許出願を行っている（特願２００１−１２３８６８）。この出願に係るデジタルミキサの一例では、設定状態を示す設定情報を、各入力チャンネルの設定、各出力チャンネルの設定、内蔵エフェクタの設定、内蔵イコライザの設定、およびモニタの設定を含む主設定データと、その主設定データに含まれるリンク情報で特定される、入力側および出力側のミキシング処理の結線状態を表すパッチデータ、各チャンネルとそこに割り当てた名前との対応関係を示すデータであるネームデータ、および入力ボードの各入力毎の設定データと出力ボードの各出力毎の設定データであるユニットデータを含む副設定データとによって構成している。そして、各副設定データはライブラリとして複数記憶可能であり、シーン毎に主設定データに使用する副設定データへのリンク情報を含めるのである。
このように、設定データを、シーン毎に変更されることの多い主設定データと、あまり変更されることのない各副設定データとに分けて記憶させることにより、異なる主設定データに対して共通の副設定データを用いることができ、設定データの記憶容量を低減することができる。また、新たなシーンを呼び出す場合でも、副設定データが共通な場合にはその部分については改めて呼び出し動作を行う必要がないので、設定データを読み出す際のレスポンスの効率を高めることができる。
【０００４】
【発明が解決しようとする課題】
しかしながら、このようなデジタルミキサを初めとする音響信号処理装置においては、設定データを全体に亘って変更した場合、これを保存するためには、主設定データの保存先に加え、各副設定データの保存先も指定しなければならず、操作が面倒であるという問題があった。そして、この問題は、主設定データや副設定データに名称を設定する場合にはさらに顕著であった。
この発明は、このような問題を解決し、設定データを主設定データとその主設定データからリンクされた副設定データとして記憶する音響信号処理装置において、設定データの記憶を指示する際の操作性を改善することを目的とする。
【０００５】
【課題を解決するための手段】
上記の目的を達成するため、この発明は、音響信号に対して信号処理を施して出力する音響信号処理装置において、装置の現在の状態を示す設定データであるカレントデータを記憶する第１の記憶手段と、上記カレントデータに基づいて装置の制御を行う制御手段と、上記設定データを、主設定データとその主設定データからリンクされた副設定データとして記憶する第２の記憶手段と、上記設定データを上記第２の記憶手段に記憶させる場合に、上記主設定データを上記第２の記憶手段の指示された記憶先に記憶させると共に、その主設定データからリンクされた副設定データのうち新たに記憶すべきものについて自動的に記憶先を設定して上記第２の記憶手段に記憶させる自動保存を行う自動保存手段と、上記設定データを上記第２の記憶手段に記憶させる場合に、上記主設定データを上記第２の記憶手段の指示された記憶先に記憶させると共に、その主設定データからリンクされた副設定データのうち新たに記憶すべきものについて、記憶先の設定を受け付け、上記第２の記憶手段のその受け付けた記憶先に記憶させる手動保存を行う手動保存手段と、上記自動保存の実行を指示するための自動保存スイッチと、上記手動保存の実行を指示するための手動保存スイッチとを設けたものである。
このような音響信号処理装置において、表示手段と、上記自動保存スイッチと、上記自動保存を指示した場合の上記副設定データの記憶先とを、上記表示手段の同一の表示画面に表示させる手段とを設けるとよい。
【０００６】
この発明はまた、音響信号に対して信号処理を施して出力する音響信号処理装置において、表示手段と、装置の現在の状態を示す設定データであるカレントデータを記憶する第１の記憶手段と、上記カレントデータに基づいて装置の制御を行う制御手段と、上記設定データを、主設定データとその主設定データからリンクされた副設定データとして記憶する第２の記憶手段と、上記設定データを上記第２の記憶手段に記憶させる場合に、上記主設定データを上記第２の記憶手段の指示された記憶先に記憶させると共に、その主設定データからリンクされた副設定データのうち新たに記憶すべきものについて自動的に記憶先を設定して上記第２の記憶手段に記憶させる自動保存を行う自動保存手段と、上記自動保存の実行を指示するための自動保存スイッチと、その自動保存を指示した場合の上記副設定データの記憶先とを、上記表示手段に表示させる手段とを設けたものである。
このような音響信号処理装置において、上記主設定データの名称の指定を受け付ける手段と、上記主設定データの名称が指定され、かつ上記自動保存の実行が指示された場合に、記憶すべき副設定データの名称をその自動保存の対象となっている主設定データの名称と同一の名称に設定する手段とを設けるとよい。
【０００７】
【発明の実施の形態】
以下、この発明の好ましい実施の形態を図面を参照して説明する。
まず、この発明の音響信号処理装置の実施形態であるデジタルミキサの構成について、図１及び図２を用いて説明する。図１は、そのデジタルミキサの概略構成を示すブロック図、図２は図１に示したＤＳＰの構成をより詳細に示すブロック図である。
このデジタルミキサ（以下単に「ミキサ」ともいう）は、音響信号に対して信号処理を施して出力する音響信号処理装置であり、図１に示すように、表示器１１，フェーダ１２，操作子１３，外部機器インタフェース（Ｉ／Ｆ）１４，ＣＰＵ１５，フラッシュメモリ１６，ＲＡＭ１７，音響信号入出力部１８，信号処理部（ＤＳＰ：デジタル・シグナル・プロセッサ）１９を備え、これらがシステムバス２０によって接続されている。
【０００８】
表示器１１は、液晶ディスプレイ（ＬＣＤ）等によって構成される表示手段であり、このミキサの設定の参照，変更，保存等を行うための画面や装置の動作状態等を表示する表示器や、フェーダ，つまみ，スイッチ等によって構成される１列の操作子群毎に設けられ、その列の操作子群で制御するチャンネルの名称を表示する表示器等によって構成されている。
フェーダ１２及び操作子１３は、このミキサのパネル上に設けられ、ユーザが音響信号の処理におけるパラメータを設定するためのものである。このうちフェーダ１２はモータを有し、ＣＰＵ１５からの指示によっても指定された位置に移動させることができる。
外部機器Ｉ／Ｆ１４は、このミキサと接続するパーソナルコンピュータ等の外部機器と情報の授受を行うためのインタフェースである。
【０００９】
ＣＰＵ１５は、このミキサ全体の動作を統括制御する制御手段であり、フラッシュメモリ１６に記憶された所定のプログラムを実行することにより、フェーダ１２や操作子１３の操作を検出してその操作に従った動作を実行したり、後述する設定データに従ってＤＳＰ１９の動作、表示器１１の表示内容、フェーダ１２の位置等を制御したりする。なお、この制御は、後述するカレントデータに基づいて行う。
フラッシュメモリ１６は、ＣＰＵ１５が実行する制御プログラム等を記憶する書き換え可能な不揮発性記憶手段である。また、通常はＲＡＭ１７上に記憶されて編集に供される後述する設定データのライブラリも、ユーザの指示に応じてこのフラッシュメモリ１６に記憶される。
【００１０】
ＲＡＭ１７は、第１の記憶手段であるカレントメモリとして機能させてカレントデータを記憶させたり、第２の記憶手段である設定データメモリとして機能させて後述する設定データのライブラリを記憶させたり、ＣＰＵ１５のワークメモリとして使用したりする記憶手段である。もちろん、これらの機能を同時に果たすことができる。
ここで、カレントデータとは、このミキサの現在の状態を示す、すなわち現在の制御に反映されている設定データであり、ＣＰＵ１５は、このカレントデータに基づいてパネル上の表示器１１の表示内容、フェーダ１２の位置、操作子１３の設定状態、ＤＳＰ１９における音響信号のミキシング処理のアルゴリズムやパラメータ等を制御する。
音響信号入出力部１８は、ＤＳＰ１９で処理すべき音響信号の入力を受け付け、また処理後の音響信号を出力するためのインタフェースである。そして、この音響信号入出力部１８には、１枚で４チャンネルのアナログ入力が可能なＡ／Ｄ変換ボード，１枚で４チャンネルのアナログ出力が可能なＤ／Ａ変換ボード，１枚で８チャンネルのデジタル入出力が可能なデジタル入出力ボードを適宜組み合わせて複数枚装着可能であり、実際にはこれらのボードを介して信号の入出力を行う。
【００１１】
ＤＳＰ１９の実行するミキシング処理は、図２に示すように、内蔵エフェクタ２３，内蔵イコライザ２４，入力パッチ２５，入力チャンネル２６，ミキシングバス２７，ミキシング出力チャンネル２８，マトリクス出力チャンネル２９，出力パッチ３０を備えている。アナログ入力２１，デジタル入力２２，アナログ出力３１，デジタル出力３２は、音響信号入出力部１８に装着する上述したボードによる入出力チャンネルを示す。
内蔵エフェクタ２３は、入力する信号に対し、選択されたエフェクトを付与して出力する複数ブロックのエフェクタである。そのチャンネル構成は、モノラル，ステレオ等で切り換え可能となっている。また、内蔵イコライザ２４は、このミキサに内蔵している２４個のイコライザを示す。このイコライザは、それぞれシングル信号を入力し、イコライズ処理してシングル信号を出力するものである。
【００１２】
入力パッチ２５は、アナログ入力２１とデジタル入力２２の各入力及び内蔵エフェクタ２３，内蔵イコライザ２４から入力される信号を、９６チャンネルある入力チャンネル２６に割り振るための任意結線を行うものである。その設定は、ユーザが所定の画面を見ながら行うことができ、各入力チャンネル２６には、入力パッチ２５で割り振られた入力信号が入力する。
入力チャンネル２６の各チャンネルは、リミッタ，コンプレッサ，イコライザ，フェーダ，パン，出力先選択部，出力レベル調整部等を備え、入力された信号に対して所定の処理を行い、処理後の信号を、４８系統あるミキシングバス２７のうち、出力先選択部によって選択されたミキシングバスに出力する。このとき、複数のミキシングバスに出力を行うこともできるし、複数の入力チャンネル２６から１つのミキシングバス２７に出力を行うこともできる。
ミキシングバス２７に入力した信号は、対応するミキシング出力チャンネル２８に出力されるが、この際、複数の入力チャンネル２６から信号が入力するミキシングバス２７においては、これらの信号に対してミキシング処理を行う。
【００１３】
ミキシング出力チャンネル２８は、ミキシングバスと１対１で対応するように４８チャンネル設けられており、その各チャンネルは、リミッタ，コンプレッサ，イコライザ，フェーダ等を備えている。そして、対応するミキシングバスから入力する信号に対して所定の処理を行ってマトリクス出力チャンネル２９あるいは出力パッチ３０へ出力する。
マトリクス出力チャンネル２９は、２４チャンネル設けられており、ミキシング出力チャンネル２８の任意に選択したチャンネルの出力信号をこの各チャンネルに入力することにより、これらの信号をさらにミキシングして出力することができる。イコライザ等の信号処理の構成はミキシング出力チャンネルと同様であり、マトリクス出力チャンネルの出力は出力パッチ３０に入力する。
【００１４】
出力パッチ３０は、ミキシング出力チャンネル２８及びマトリクス出力チャンネル２９から入力する信号を、アナログ出力３１とデジタル出力３２の各出力及び内蔵エフェクタ２３，内蔵イコライザ２４に割り振る任意結線を行うものである。この設定も、ユーザが所定の画面を見ながら行うことができ、１つの出力チャンネルからの信号を複数の出力部に割り振ることも可能である。アナログ出力３１又はデジタル出力３２に割り振られた信号はここから出力され、内蔵エフェクタ２３又は内蔵イコライザ２４に割り振られた信号は、ここでの処理の後、再度入力パッチ２５に入力する。
図１に示したＤＳＰ１９は、以上の構成によって、入力される音響信号に対してミキシングやイコライジング等の処理を行う。また、入力チャンネル２６や出力チャンネル２７，２８から選択した信号を混合してモニタ用出力に出力することもできる。
なお、図２において、図面の簡単化のため、コンソール側の入力及びトークバックインなどの入力、コンソール側の出力及びキューアウトなどの出力、インサートエフェクトのための結線、並びに、モニタ出力のための結線などは省略している。
【００１５】
次に、このようなデジタルミキサにおいて、カレントメモリのカレントデータをシーンとして複数ストア可能な設定データメモリについて、図３及び図４を用いて説明する。図３はその設定データの構成と記憶状態について説明するための図、図４はその設定データの保存や呼び出しを指示するための操作部の構成を示す図である。
上述したＤＳＰ１９のミキシング処理の構成から明らかなように、このミキサに望みの動作を行わせるために設定すべき事項は、入力パッチ２５や出力パッチ３０の結線状態，各入力チャンネル２６におけるリミッタ，コンプレッサ，イコライザ等のパラメータ，入力チャンネル２６，ミキシング出力チャンネル２８，マトリクス出力チャンネル２９の各チャンネルの名称等、非常に多岐にわたるものである。
【００１６】
そこで、一連の設定についての設定データをシーン（ＳＣＥＮＥ）としてシーン番号に関連付けてＲＡＭ１７上の設定データメモリににいくつか記憶しておき、シーン番号を指定してカレントメモリに呼び出すことにより、必要な場面で必要な設定状態を再現することができるようにしている。また、設定データのうちよく変更される部分を主設定データ、あまり変更されない部分を副設定データとし、主設定データの中に必要な副設定データへのリンク情報を含めることにより、設定データの保存に必要な記憶容量の低減や、呼び出し及び保存の際のレスポンスの改善を図っている。
【００１７】
このミキサにおいては、入力パッチ２５及び出力パッチ３０の結線状態を示すパッチデータ、入力チャンネル２６，ミキシング出力チャンネル２８，マトリクス出力チャンネル２９の名称を示すネームデータ、音響信号入出力部１８に装着された入力／出力ボードの各入力／出力毎のゲインや極性等の設定を示すユニットデータを副設定データとし、これら以外の設定データとこれらの副設定データへのリンク情報を合わせて主設定データであるシーンデータとしている。
すなわち、１つのシーンは、シーンデータと、そのシーンデータに含まれるリンク情報を辿って得られるパッチデータ，ネームデータ，マトリクスデータとからなる。そして、ＲＡＭ１７上の設定データメモリには、図３に示すように、パッチデータ，ネームデータ，ユニットデータ各１００個をライブラリとして記憶し、またシーンデータ１０００個を記憶する領域を設けており、それぞれのデータに付される番号によって記憶先を指定している。
【００１８】
なお、この設定データメモリの内容は、ユーザのセーブ指示に応じてフラッシュメモリ１６に記憶させることができ、逆にフラッシュメモリ１６に記憶している各ライブラリやシーンデータの内容をユーザのロード指示に応じてＲＡＭ１７上の設定データメモリに読み出したりすることができる。これは、後述するシーン毎の呼び出しや保存とは別の動作であり、フラッシュメモリ１６には書き換え回数に制限があるため、シーン毎の細かな編集はＲＡＭ１７上の設定データメモリに記憶させた状態で行い、必要なだけのシーンを編集した後でその最終結果をフラッシュメモリ１６に保存できるようにしたものである。
【００１９】
シーンの呼び出しや保存は、図４に示す操作部５０によって指示する。操作部５０は、このミキサのパネル上に設けられており、シーン番号表示器５１は図１に示した表示器１１の一部であり、各キー５２〜５５は操作子１３の一部である。
シーン番号表示器５１は、呼び出し対象や保存先とすべきシーンの番号を３桁で表示する表示器であり、アップキー５２が押下されると昇順に、ダウンキー５３が押下されると降順に番号を変化させる。これらのキーによって望みの番号が選択された後、リコールキー５５が押下されると、ＲＡＭ１７上の設定データメモリからその番号のシーンを読み出し、カレントデータとして同じくＲＡＭ１７上のカレントメモリに記憶させることによって呼び出しが行われる。そして、そのシーンのデータに合わせてＤＳＰ１９のミキシング処理が制御されると共に、表示器１１の表示データやフェーダ１２の位置が変更される。
【００２０】
ここで、一旦表示器１１の表示やフェーダ１２の位置が変更された後でフェーダ１２や操作子１３が操作された場合、その操作に伴ってカレントデータが変更され、ＤＳＰ１９のミキシング処理が制御される。従って、フェーダ１２や操作子１３の操作によってシーンを編集することができる。そして、ストアキー５４が押下されると、その時点でのカレントデータが選択されている番号のシーンとして設定データメモリに記憶され、保存される。
これらのシーンの呼び出し、編集、保存の処理は、ＣＰＵ１５が制御して行う。
【００２１】
この発明の特徴は、このシーンの保存の処理であるので、この点について図５乃至図１２も用いてさらに説明する。図５及び図６はそれぞれシーンの保存を指示する画面の表示例を示す図、図７は図５及び図６に示す画面の表示処理を示すフローチャート、図８は図７に示すユニットデータ欄表示処理Ａの処理を示すフローチャート、図９は図７に示すユニットデータ欄表示処理Ｂの処理を示すフローチャート、図１０はこのデジタルミキサにおけるシーンの自動保存の処理を示すフローチャート、図１１は同じく手動保存の処理を示すフローチャート、図１２は図１１の処理で表示する保存先指定ダイアログの表示例を示す図である。
【００２２】
このデジタルミキサにおいては、シーンの保存の際、シーンデータをシーン番号で指定された記憶先に記憶させると共に、そのシーンデータからリンクされた副設定データのうち新たに記憶すべきものについて自動的に記憶先を設定して記憶させる自動保存と、シーンデータをシーン番号で指定された記憶先に記憶させると共に、そのシーンデータからリンクされた副設定データのうち新たに記憶すべきものについて、記憶先の設定を受け付け、その受け付けた記憶先に記憶させる手動保存とを行うことができる。
【００２３】
なお、副設定データのうち呼び出し時から変更されていないものは、保存の際にもとの副設定データへのリンクデータだけを保存すればよいので、新たに記憶させる必要がない。従って、「副設定データのうち新たに記憶すべきもの」は、保存しようとするシーンが呼び出された（又は前回保存された）時点から変更された副設定データである。
そして、このデジタルミキサは、操作部５０において保存先のシーン番号を選択してストアキー５４を押下すると、表示器１１の所定の表示画面に、図５又は図６に示すようなシーンストアダイアログ１００を表示する。
【００２４】
シーンストアダイアログ１００は、図５及び図６に示すように、シーン名表示欄１０１，コメント表示欄１０２，アルファベットキーボード１０３，キャンセルキー１０４，オートストア表示部１１０，マニュアルストア表示部１２０を有する。
シーン名表示欄１０１，コメント表示欄１０２は、保存すべきシーンの名称と、そのシーンと共に保存するコメントを表示する表示欄である。なお、シーンデータの名称はシーンの名称と同一であるとする。これらの表示欄の表示内容はアルファベットキーボード１０３を用いて編集することができ、所定文字数以内の任意のアルファベット文字列を入力することができる。
【００２５】
図５は新規のシーン番号での保存を指示した場合の表示例であり、シーン名表示欄１０１に「ＳＨＩＮＥ」、コメント表示欄１０２に「ＪＵＭＰ　ＡＮＤ　ＳＨＯＵＴ」と入力した状態を示しているが、新規のシーン番号の場合の初期状態では、カレントデータについてのシーン名とコメントを表示するようにするとよいが、空欄とするか、所定の初期文字列が入力された状態にしてもよい。
キャンセルキー１０４は、保存の中止を指示するためのスイッチであり、これを押下（もちろん、マウス等でポインタの位置を合わせてクリックしたり、タッチパネルに触れたりすることを含むものである）すると、シーンストアダイアログ１００を消去し、シーンの保存を中止する。
【００２６】
オートストア表示部１１０は、シーンの自動保存の実行を指示するための自動保存スイッチであるオートストアキー１１７及び、自動保存を実行した場合の各副設定データの番号と名称を表示する表示部である。ユニット番号表示欄１１１，パッチ番号表示欄１１２，ネーム番号表示欄１１３には、それぞれ自動保存を行った場合のユニットデータ，パッチデータ，ネームデータの番号を表示し、ユニット名表示欄１１４，パッチ名表示欄１１５，ネーム名表示欄１１６には、それぞれ自動保存を行った場合のユニットデータ，パッチデータ，ネームデータの名称を表示している。
【００２７】
図５ではパッチデータとネームデータに係る表示欄には斜線を付しているが、これは、これらのデータは新たに記憶させる必要がなく、リンク先のデータの番号や名称をそのまま表示したものであることを示している。なお、実際に表示を行う場合には霞み表示（霞んだように表示すること）や半輝度表示にするとよい。
ユニットデータに係る表示欄には斜線を付していないが、これは、ユニットデータには変更があったため新たに記憶させる必要があることを示している。そして、自動的に番号や名称を設定して表示している。新たに記憶させる必要がある副設定データの番号の設定は、空いている番号をサーチして行い、例えば空き番号のうち最小のものとするとよい。また、名称については、シーン名と同じものとし、シーンストアダイアログ１００の表示後にシーン名が変更された場合には、それに合わせて副設定データの名称の表示も変更する。
【００２８】
マニュアルストア表示部１２０は、シーンの手動保存の実行を指示するための手動保存スイッチであるマニュアルストアキー１２７及び、手動保存を実行した場合の各副設定データの名称と記憶先を表示する表示部である。各表示欄１２１〜１２６は、オートストア表示部１１０の各表示欄１１１〜１１６と対応したものである。ただし、手動保存の場合には保存先や名称は自動的には設定されないので、ユニット番号表示欄１２１には保存先が未定である旨の「？？」を表示し、ユニット名表示欄１２２は空欄にしている。
【００２９】
図６には、既存のシーン番号への保存が指示された場合の表示例を示している。この場合、特に変更の指示がなければ、保存すべき副設定データは保存先のシーンからリンクしている副設定データに上書きするので、オートストア表示部１１０でもマニュアルストア表示部１２０でも、ユニット番号表示欄には上書き先の番号が表示されている。なお、図６ではシーン名を元の名称から「ＣＯＲＮＥＲ」に変更した例を示しており、これに伴ってオートストア表示部１１０のユニット名表示欄１１４の表示は「ＣＯＲＮＥＲ」に変更されているが、マニュアルストア表示部１２０のユニット名表示欄１２４の表示は初めのままの「ＥＤＧＥ」になっている。
【００３０】
以上説明したシーンストアダイアログ１００を表示する処理は、図７に示すものであり、図４に示したストアキー５４が押下されると、ＣＰＵ１５は図７のフローチャートに示す処理を開始する。
まず、ステップＳ１で、操作部５０で保存先として指定されたシーン番号をレジスタに記憶する。なお、このレジスタの内容は、図７のフローチャートの処理が終了しても、シーンストアダイアログ１００を消去するまでは記憶したままにしておくものとする。
次に、ステップＳ２で、シーンストアダイアログ１００のうち、枠とキーの部分、すなわち表示欄１０１，１０２，１１１〜１１６及び１２１〜１２６以外の部分を表示器１１に表示させる。この時点では、表示する各キーは有効であり、押下可能である。
そして、ステップＳ３に進み、カレントデータのシーンの名称とコメントを、シーン名表示欄１０１とコメント表示欄１０２にそれぞれ表示させる。
【００３１】
そして、ステップＳ４に進み、保存先のシーン番号が新規のシーン番号であるか否か判断する。新規でなければステップＳ５に進み、図８に示すユニットデータ欄表示処理Ａを行う。
この処理では、まず、ステップＳ２１でユニットデータに変更があったか否か、すなわち新たに保存する必要があるか否かを判断し、なければ、ステップＳ２２に進んでオートストア表示部１１０とマニュアルストア表示部１２０のユニット番号表示欄１１１，１２１とユニット名表示欄１１４，１２４に、カレントメモリのシーンデータからリンクしているユニットデータの番号と名称をそれぞれ霞み表示させて元の処理に戻る。ステップＳ２１で新たに保存する必要があれば、ステップＳ２３に進んでオートストア表示部１１０とマニュアルストア表示部１２０のユニット番号表示欄１１１，１２１とユニット名表示欄１１４，１２４に、カレントメモリのシーンデータからリンクしているユニットデータの番号と名称をそれぞれ通常表示させて元の処理に戻る。
【００３２】
図７の説明に戻る。ステップＳ５の処理が終了すると、順次ステップＳ６，Ｓ７に進んでパッチデータ欄表示処理Ａ，ネームデータ欄表示処理Ａを実行するが、これらは、図８に示したユニットデータ欄表示処理Ａの「ユニット」の部分をそれぞれ「パッチ」，「ネーム」に置き換えたものであるので、詳細な説明は省略する。
ステップＳ７の処理が終了すると、シーンストアダイアログ１００の表示が完成し、図７のフローチャートの処理を終了する。
一方、ステップＳ３で新規のシーン番号であった場合には、ステップＳ８に進み、図９に示すユニットデータ欄表示処理Ｂを行う。
【００３３】
この処理では、まず、ステップＳ３１でユニットデータに変更があったか否か、すなわち新たに保存する必要があるか否かを判断し、なければ、ステップＳ３２に進んでオートストア表示部１１０とマニュアルストア表示部１２０のユニット番号表示欄１１１，１２１とユニット名表示欄１１４，１２４に、カレントメモリのシーンデータからリンクしているユニットデータの番号と名称をそれぞれ霞み表示させて元の処理に戻る。
【００３４】
ステップＳ３１で新たに保存する必要があれば、手動保存時の保存先はユーザが指定する必要があるので、ステップＳ３３に進んでマニュアルストア表示部１２０のユニット番号表示欄１２１に、保存先が未定である旨の「？？」を通常表示する。
そして、ステップＳ３４に進み、またユニットデータの番号として使用されていない空き番号をサーチする。そして、空き番号があれば、ステップＳ３８に進んでオートストア表示部１１０のユニット番号表示欄１１１に空き番号を通常表示させ、自動保存を行う場合のユニットデータの番号としてもとの処理に戻る。なお、ステップＳ３８では例えば空き番号の中で最も小さいものを表示するようにするとよい。
【００３５】
ステップＳ３５で空き番号がなかった場合には、保存先を自動的に設定することができないので、自動保存を行うことができない。そこで、ステップＳ３６に進んでオートストア表示部１１０のユニット番号表示欄１１１にその旨を示す「−−」を通常表示させ、ステップＳ３７でオートストアキーを無効化して押下できないようにし、元の処理に戻る。
なお、ステップＳ３１の判断がＹＥＳだった場合にはユニット名表示欄１１４，１２４の表示処理を行わないので、これらの表示欄は空欄のままとなる。
なお、ステップＳ３５で空き番号がなかった場合に、ユニット名表示欄１１４に「−−ＤＡＴＡ　ＦＵＬＬ−−」等のメッセージを表示するようにしてもよい。
【００３６】
図７の説明に戻る。ステップＳ８の処理が終了すると、順次ステップＳ９，Ｓ１０に進んでパッチデータ欄表示処理Ｂ，ネームデータ欄表示処理Ｂを実行するが、これらは、図９に示したユニットデータ欄表示処理Ｂの「ユニット」の部分をそれぞれ「パッチ」，「ネーム」に置き換えたものであるので、詳細な説明は省略する。
ステップＳ１０の処理が終了すると、シーンストアダイアログ１００の表示が完成し、図７のフローチャートの処理を終了する。
このような処理により、図５あるいは図６に示すようなシーンストアダイアログ１００を表示器１１に表示させることができる。ここで、シーンストアダイアログ１００の表示後にシーン名を変更した場合にはそれと同一になるように自動保存時の副設定データの名称とその表示を変更するが、この処理も、ＣＰＵ１５が行うものとする。
【００３７】
シーンストアダイアログ１００の表示が完了した後、ユーザがオートストアキー１１７を押下するとＣＰＵ１５は図１０に示す処理を開始し、自動保存を実行する。
まず、ステップＳ４１でいずれかの副設定データに変更があったか否か、すなわち新たに記憶すべき副設定データがあるか否か判断する。あれば、ステップＳ４２に進んで、カレントデータのうち、変更のあった、すなわち新たに記憶すべき副設定データを、オートストア表示部１１０に表示している番号と名前を設定して、設定データメモリの副設定データの記憶領域のその番号で指定された保存先に記憶させる。
【００３８】
そして、ステップＳ４３に進み、変更のあった副設定データについてはカレントメモリに記憶されているシーンデータのリンク先をオートストア表示部１１０に表示している番号に変更した後、カレントメモリのシーンデータを、図７のステップＳ１の処理でレジスタに記憶してある保存先のシーン番号のシーンデータとして、シーン名表示欄１０１に表示している名称を付し、コメント表示欄１０２に表示しているコメントと共に設定データメモリに記憶させる。ステップＳ４１で変更がなかった場合には、そのままステップＳ４３に進む。その後、ステップＳ４４でシーンストアダイアログ１００を消去して処理を終了する。
以上のうちステップＳ４１乃至Ｓ４３の処理では、ＣＰＵ１５が自動保存手段として機能する。
【００３９】
一方、シーンストアダイアログ１００の表示が完了した後、ユーザがマニュアルストアキー１２７を押下すると、ＣＰＵ１５は図１１に示す処理を開始し、手動保存を実行する。この処理は、ステップＳ４２に代えてステップＳ４５の処理を行う点以外は、図１０を用いて説明した処理と同様であり、ステップＳ４５の処理とその処理によって影響を受けるステップＳ４３の処理についてのみ説明する。
ステップＳ４５では、変更のあった、すなわち新たに記憶すべき副設定データについて、図１２に示すような保存先指定ダイアログ２００を表示器１１に表示させ、その副設定データに設定すべき番号と名称の指定を受け付け、副設定データにその番号と名称を付して、設定データメモリのその番号で指定された保存先に記憶する。
【００４０】
ここで、保存先指定ダイアログ２００は、番号名称指定部２０１，アルファベットキーボード２０２，決定キー２０３，キャンセルキー２０４を備えている。番号名称指定部２０１は、保存する副設定データの番号や名称を指定するためのものである。そして、プルダウンメニューになっており、番号や名称を既存のものから選択して指定することが可能であるほか、アルファベットキーボード２０２から文字列を入力して指定することもできる。
番号と名称の指定後、決定キー２０３が押下されるとＣＰＵ１５は副設定データに指定された番号と名称を付して、設定データメモリの副設定データの記憶領域のその番号で指定された保存先に記憶する。キャンセルキーが押下されるとＣＰＵ１５は保存先指定ダイアログ２００を消去して図１１の処理を中止する。
【００４１】
図１２にはユニットデータについての保存先指定ダイアログ２００の例を示したが、パッチデータとネームデータについても同様のダイアログを用いることができる。そして、これらのうち必要なものを１つずつ表示して番号と名称の指定を受け付け、保存が必要な全ての副設定データについて保存が終了すると、ステップＳ４５の処理を終了する。
続くステップＳ４３では、ステップＳ４５で開かれた各保存先指定ダイアログ２００での番号指定に従ってカレントメモリに記憶されているシーンデータのリンク先を変更した後、そのシーンデータを図７のステップＳ１の処理でレジスタに記憶してある保存先のシーン番号のシーンデータとして、設定データメモリに記憶させる。
図１１に示した処理のうちステップＳ４１，Ｓ４３，Ｓ４５の処理では、ＣＰＵ１５が手動保存手段として機能する。
【００４２】
このように、手動保存の場合、ユニットデータ，パッチデータ，ネームデータの全てについて保存が必要である場合には、３度保存先指定ダイアログが表示され、ユーザはその度に番号や名称を指定する必要がある。
しかし、このデジタルミキサにおいては、自動保存により、シーンストアダイアログで１つのキーを押下するだけで副設定データに自動的に適当な番号を付し記憶先を指定してシーンの保存を行うことができるので、ユーザが副設定データ毎に記憶先を設定する必要がなく、設定データの記憶を指示する際に必要な操作の回数を低減して操作性を改善することができる。
【００４３】
また、自動保存の場合に副設定データの名称を主設定データの名称と同一の名称に設定するようにすれば、名称についても妥当なものを自動的に設定することができる。副設定データにも名称を付すようにすると、名称からある程度内容が把握でき、管理が容易になる一方、名称の入力は面倒であり操作性を低下させる原因となるので、妥当な名称を自動的に設定できるようにすることは操作性改善に大きく寄与する。
【００４４】
また、オートストアキー１１７と、自動保存を行った場合の副設定データの保存先とを同一の表示画面に表示させるようにすれば、ユーザは自動保存を行った場合に副設定データがどこに保存されるかを確認してから自動保存の実行を指示することができるため、自動保存を行った場合にデータが不都合な場所に保存されてしまうことを防止できる。
このミキサにおいては、マニュアルストアキー１２７も同一の表示画面に表示させ、自動保存だけでなくこのような手動保存も容易に選択できるようにしているので、自動保存の場合の保存先が不満であれば直ちに手動保存の実行も指示することができ、ユーザの選択の幅が広がり、装置の操作性をさらに改善することができる。
【００４５】
ところで、以上説明したミキサにおいては、シーン番号を指定してシーンのストアが指示されたとき、そのシーン番号が既存のシーンのものであるか否かに応じて（図７のステップＳ４）、図５及び図６に示したようにシーンストアダイアログ１００のオートストア表示部１１０とマニュアルストア表示部１２０の表示を異ならせていた。しかし、既存シーンか否かに関係なく、図５，図７のステップＳ８〜Ｓ１０及び図９を用いて説明したような既存シーンでない場合の態様で表示するようにしてもよい。
【００４６】
すなわち、ストア先のシーン番号が既存シーンのものであるか否かに関係なく、カレントメモリの副設定データが変更されていれば、シーンストアダイアログ１００のマニュアルストア表示部１２０のその副設定データに係る番号表示欄には図９のステップＳ３３について説明したように「？？」を通常表示し、オートストア表示部１１０のその副設定データに係る番号表示欄には同図のステップＳ３８について説明したように空き番号の中で最も小さいものを表示するようにしてもよい。
【００４７】
なお、カレントメモリの副設定データが変更されていない場合には、図８のステップＳ２２と図９のステップＳ３２について説明したように、もともと既存シーンの番号であるか否かに関わらず同じ処理であるので、このような場合でも上述した例と変わらないことになる。
このように変更すると、既存シーンの番号でオートストアした場合にも、副設定データに変更があればその副設定データは新しい番号で保存されるので、既存の副設定データに変更が及ばず、その副設定データへのリンクを有する他のシーンデータへの影響を防止することができる。
【００４８】
また、以上説明したミキサにおいて、シーンストアダイアログ１００のオートストアキー１１７を押下することに代えて、シーンストアダイアログ１００の表示後に操作部５０のストアキー５４を再度押下することによって自動保存の実行を指示できるようにしてもよい。このようにすれば、同じキーを２度押下するだけでシーンの保存を行うことができるので、必要な操作量を低減し、操作性をさらに改善することができる。そして、この機能の有効／無効を設定可能にすれば、なおよい。
また、ここではこの発明の音響信号処理装置の例としてデジタルミキサについて説明したが、この発明は、電子楽器も含め、ミキサ・エフェクタ・レコーダ・シンセサイザ及びこれらの組み合わせ等からなる種々の音響信号処理装置にも適用できることは言うまでもない。この場合、設定データのうち副設定データとする部分の内容，副設定データの数等を装置の特性に応じて適宜定めてよいことは、もちろんである。そして、副設定データの数が多い場合ほど、この発明の効果は顕著である。
【００４９】
【発明の効果】
以上説明してきたように、この発明の音響信号処理装置によれば、自動保存により、自動的に適当な番号を付し、記憶先を指定してシーンの保存を行うことができるので、ユーザが副設定データ毎に記憶先を設定する必要がなく、設定データの記憶を指示する際に必要な操作の回数を低減して操作性を改善することができる。
【図面の簡単な説明】
【図１】この発明の音響信号処理装置の実施形態であるデジタルミキサの概略構成を示すブロック図である。
【図２】図１に示したＤＳＰの構成をより詳細に示すブロック図である。
【図３】図１に示したデジタルミキサにおける設定データの構成と記憶状態について説明するための図である。
【図４】その設定データの保存や呼び出しを指示するための操作部の構成を示す図である。
【図５】図１に示したデジタルミキサにおけるシーンの保存を指示する画面の表示例を示す図である。
【図６】その別の表示例を示す図である。
【図７】図５及び図６に示す画面の表示処理を示すフローチャートである。
【図８】図７に示すユニットデータ欄表示処理Ａの処理を示すフローチャートである。
【図９】図７に示すユニットデータ欄表示処理Ｂの処理を示すフローチャートである。
【図１０】図１に示したデジタルミキサにおけるシーンの自動保存の処理を示すフローチャートである。
【図１１】同じく手動保存の処理を示すフローチャートである。
【図１２】図１１の処理で表示する保存先指定ダイアログの表示例を示す図である。
【符号の説明】
１１…表示器、１２…フェーダ、１３…操作子、１４…外部機器Ｉ／Ｆ、１５…ＣＰＵ、１６…フラッシュメモリ、１７…ＲＡＭ、１８…音響信号入出力部、１９…信号処理部、２３…内蔵エフェクタ、２４…内蔵イコライザ、２５…入力パッチ、２６…入力チャンネル、２７…ミキシングバス、２８…ミキシング出力チャンネル、２９…マトリクス出力チャンネル、３０…出力パッチ、５０…操作部、５１…シーン番号表示器、５４…ストアキー、５５…リコールキー、１００…シーンストアダイアログ、１１０…オートストア表示部、１１７…オートストアキー、１２０…マニュアルストア表示部、１２７…マニュアルストアキー、２００…保存先指定ダイアログ
【図１】
2004048272.tif 000003
【図２】
2004048272.tif 000004
【図３】
2004048272.tif 000005
【図４】
2004048272.tif 000006
【図５】
2004048272.tif 000007
【図６】
2004048272.tif 000008
【図７】
2004048272.tif 000009
【図８】
2004048272.tif 000010
【図９】
2004048272.tif 000011
【図１０】
2004048272.tif 000012
【図１１】
2004048272.tif 000013
【図１２】
2004048272.tif 000014
【手続補正書】
【提出日】平成15年7月3日(2003.7.3)
【手続補正１】
【補正対象書類名】明細書
【補正対象項目名】請求項４
【補正方法】変更
【補正の内容】
【請求項４】
請求項３記載の音響信号処理装置であって、
前記主設定データの名称の指定を受け付ける手段と、
前記主設定データの名称が指定されたとき、前記自動保存の実行が指示された場合の前記記憶先に記憶される副設定データの名称を該自動保存の対象となっている主設定データの名称と同一の名称に設定する手段とを設けたことを特徴とする音響信号処理装置。
【手続補正２】
【補正対象書類名】明細書
【補正対象項目名】０００６
【補正方法】変更
【補正の内容】
【０００６】
この発明はまた、音響信号に対して信号処理を施して出力する音響信号処理装置において、表示手段と、装置の現在の状態を示す設定データであるカレントデータを記憶する第１の記憶手段と、上記カレントデータに基づいて装置の制御を行う制御手段と、上記設定データを、主設定データとその主設定データからリンクされた副設定データとして記憶する第２の記憶手段と、上記設定データを上記第２の記憶手段に記憶させる場合に、上記主設定データを上記第２の記憶手段の指示された記憶先に記憶させると共に、その主設定データからリンクされた副設定データのうち新たに記憶すべきものについて自動的に記憶先を設定して上記第２の記憶手段に記憶させる自動保存を行う自動保存手段と、上記自動保存の実行を指示するための自動保存スイッチと、その自動保存を指示した場合の上記副設定データの記憶先とを、上記表示手段に表示させる手段とを設けたものである。
このような音響信号処理装置において、上記主設定データの名称の指定を受け付ける手段と、上記主設定データの名称が指定されたとき、上記自動保存の実行が指示された場合の前記記憶先に記憶される副設定データの名称をその自動保存の対象となっている主設定データの名称と同一の名称に設定する手段とを設けるとよい。


【手続補正３】
【補正対象書類名】明細書
【補正対象項目名】００１４
【補正方法】変更
【補正の内容】
【００１４】
出力パッチ３０は、ミキシング出力チャンネル２８及びマトリクス出力チャンネル２９から入力する信号を、アナログ出力３１とデジタル出力３２の各出力及び内蔵エフェクタ２３，内蔵イコライザ２４に割り振る任意結線を行うものである。この設定も、ユーザが所定の画面を見ながら行うことができ、１つの出力チャンネルからの信号を複数の出力部に割り振ることも可能である。アナログ出力３１又はデジタル出力３２に割り振られた信号はここから出力され、内蔵エフェクタ２３又は内蔵イコライザ２４に割り振られた信号は、ここでの処理の後、再度入力パッチ２５に入力する。
図１に示したＤＳＰ１９は、以上の構成によって、入力される音響信号に対してミキシングやイコライジング等の処理を行う。また、入力チャンネル２６や出力チャンネル２８，２９から選択した信号を混合してモニタ用出力に出力することもできる。
なお、図２において、図面の簡単化のため、コンソール側の入力及びトークバックインなどの入力、コンソール側の出力及びキューアウトなどの出力、インサートエフェクトのための結線、並びに、モニタ出力のための結線などは省略している。


【手続補正４】
【補正対象書類名】明細書
【補正対象項目名】００３５
【補正方法】変更
【補正の内容】
【００３５】
ステップＳ３５で空き番号がなかった場合には、保存先を自動的に設定することができないので、自動保存を行うことができない。そこで、ステップＳ３６に進んでオートストア表示部１１０のユニット番号表示欄１１１にその旨を示す「−−」を通常表示させ、ステップＳ３７でオートストアキー１１７を無効化して押下できないようにし、元の処理に戻る。
なお、ステップＳ３１の判断がＹＥＳだった場合にはユニット名表示欄１１４，１２４の表示処理を行わないので、これらの表示欄は空欄のままとなる。
なお、ステップＳ３５で空き番号がなかった場合に、ユニット名表示欄１１４に「−−ＤＡＴＡ　ＦＵＬＬ−−」等のメッセージを表示するようにしてもよい。


【手続補正５】
【補正対象書類名】明細書
【補正対象項目名】００４０
【補正方法】変更
【補正の内容】
【００４０】
ここで、保存先指定ダイアログ２００は、番号名称指定部２０１，アルファベットキーボード２０２，決定キー２０３，キャンセルキー２０４を備えている。番号名称指定部２０１は、保存する副設定データの番号や名称を指定するためのものである。そして、プルダウンメニューになっており、番号や名称を既存のものから選択して指定することが可能であるほか、アルファベットキーボード２０２から文字列を入力して指定することもできる。
番号と名称の指定後、決定キー２０３が押下されるとＣＰＵ１５は副設定データに指定された番号と名称を付して、設定データメモリの副設定データの記憶領域のその番号で指定された保存先に記憶する。キャンセルキー２０４が押下されるとＣＰＵ１５は保存先指定ダイアログ２００を消去して図１１の処理を中止する。